(57)【要約】【課題】    少人数で大型重機を使用しないで建てることができ、配線や給排水管などを壁の内部に収納することができる木造建築物とそれに使用する壁材を提供する。【解決手段】幅が略同一で長方形などの四角形状の２枚の板材と、その板材より幅が狭く、少なくともいずれかの板材よりも短い長さを有する四角形状の１枚の板材を前記２枚の板材の間に接合して構成された３枚の板材からなる３層構造の壁材を形成する。この壁材を垂直方向に積層すると共に水平方向に並べて木造建築物の壁を形成する。壁材の３枚の板材の幅及び長さの違いによって隣接する壁材の間に形成される垂直方向の空間と水平方向の空間に、配線や給排水管などを収納するパイプ部材と建築物の強度の補強部材を収納する。【選択図】図２
2020176501.tif 000002
【特許請求の範囲】
【請求項１】
幅が略同一で長さは略同一又は異なる第１及び第２の２枚の四角形状の木製板材と、
前記第１及び第２の四角形状の木製板材より幅が狭く長さが前記第１又は第２の木製板材のうちの少なくとも一方の木製板材より短い第３の四角形状の木製板材からなり、
前記第３の木製板材は、前記第１及び第２の四角形状の木製板材の間で幅方向には中央部の位置で、長手方向には前記第１と第２の四角形状の木製板材の少なくとも一方の端部がずれた位置になるように、前記第１、第２及び第３の木製板材の各板面が接合されている
ことを特徴とする少なくとも３枚の四角形状の木製板材からなる木造建築物用の木製壁材。
【請求項２】
幅及び長さが略同一の第１及び第２の２枚の四角形状の木製板材と、
前記第１及び第２の四角形状の木製板材より幅が狭く長さが短い第３の四角形状の木製板材からなり、
前記第３の木製板材は前記第１及び第２の木製板材の間に挟まれて前記第１、第２及び第３の木製板材が接合され、
前記第１と第２の木製板材は長手方向にずれた位置にあり、
前記第３の木製板材は前記第１の木製板材の幅方向に略中央に位置し、かつ、前記第１の木製板材と前記第３の木製板材のいずれの端部も面一でないように接合されている
ことを特徴とする少なくとも３枚の四角形状の木製板材からなる木造建築物用の木製壁材。
【請求項３】
幅及び長さが略同一の第１及び第２の２枚の四角形状の木製板材と、
前記第１及び第２の四角形状の木製板材より幅が狭く長さが短い第３の四角形状の木製板材からなり、
前記第３の木製板材は前記第１及び第２の木製板材の間に挟まれて前記第１、第２及び第３の木製板材が接合され、
前記第１と第２の木製板材は長手方向にずれた位置にあり、
前記第３の木製板材は前記第１の木製板材の幅方向に略中央に位置し、かつ、前記第１と第３の木製板材の一端が面一になるように接合されている
ことを特徴とする少なくとも３枚の四角形状の木製板材からなる木造建築物用の木製壁材。
【請求項４】
四角形状の第１の木製板材と、
前記第１の四角形状の木製板材と幅が略同一で長さが前記第１の四角形状の木製板材より長い第２の四角形状の木製板材と、
前記第１及び第２の四角形状の木製板材より幅が狭く前記第２の木製板材より短い第３の四角形状の木製板材からなり、
前記第３の四角形状の木製板材は前記第１及び第２の四角形状の木製板材の間で幅方向に略中央の位置で接合され、
前記第１、第２、及び第３の木製板材の長手方向の各一端は面一であり、各木製板材の他端は長手方向にずれた位置になるように接合されている
ことを特徴とする少なくとも３枚の四角形状の木製板材からなる木造建築物用の木製壁材。
【請求項５】
四角形状の第１の木製板材と、
前記第１の四角形状の木製板材と幅が略同一で長さが前記第１の四角形状の木製板材より長い第２の四角形状の木製板材と、
前記第１及び第２の四角形状の木製板材より幅が狭く前記第１の木製板材より長く前記第２の木製板材より短い長さの第３の四角形状の木製板材からなり、
前記第３の四角形状の木製板材は前記第１及び第２の四角形状の木製板材の間で幅方向に略中央の位置で接合され、
前記第１、第２、及び第３の木製板材の長手方向の各一端は面一であり、他端は長手方向にずれた位置になるように接合されており、
前記第１の四角形状の木製板材は、前記第１、第２及び第３の木製板材が面一になっている端部において、幅方向の両端に切欠き部が形成されている
ことを特徴とする少なくとも３枚の四角形状の木製板材からなる木造建築物用の木製壁材。
【請求項６】
四角形状の第１の木製板材と、
前記第１の四角形状の木製板材と幅が略同一で長さが前記第１の四角形状の木製板材より長い第２の四角形状の木製板材と、
前記第１及び第２の四角形状の木製板材より幅が狭く長さが短い第３の四角形状の木製板材からなり、
前記第３の四角形状の木製板材は前記第１及び第２の四角形状の木製板材の間で幅方向に略中央の位置で接合され、
前記第１、第２及び第３の木製板材の長手方向の各一端は面一の位置にあり、他端は長手方向にずれた位置になるように接合されており、
前記第１の四角形状の木製板材は、前記第１、第２及び第３の木製板材が面一になっている端部において、幅方向の両端に切欠き部が形成されている
ことを特徴とする少なくとも３枚の四角形状の木製板材からなる木造建築物用の木製壁材。
【請求項７】
少なくとも３枚の四角形状の木製板材が少なくとも一方の一端面が面一でないように接合された第１の木製壁材と、前記第１の木製壁材の前記面一でない一端面で組み合わされて面一の端面にするための第２の木製壁材とからなる木造建築物用の木製壁材であって、
前記第１の木製壁材は、
四角形状の第１の木製板材と、
幅が前記第１の木製板材と略同一の四角形状の第２の木製板材と、
前記第１及び第２の木製板材より幅が狭く、少なくとも前記第２の木製板材より短い長さの第３の四角形状の木製板材からなり、
前記第３の木製板材は前記第１及び第２の木製板材の間で幅方向に略中央の位置で接合され、
前記第１の木製壁材の一端において、長手方向に、前記第３の木製板材の端部が前記第１の木製板材と前記第２の木製板材の中間の位置にあって各木製板材が面一でないように接合されており、
前記第２の木製壁材は、
前記第１及び第２の木製板材の幅と厚さが略同一の第４の木製板材と、
前記第４の木製板材の一面に前記第４の木製板材と同一の幅で形成されて接合されたコの字状の第５の木製板材からなり、
前記第４の木製板材と前記第５の木製板材は一端において面一になるように接合されており、
前記第１の壁材と前記第２の壁材を組み立てることによって、少なくとも一端面が面一の少なくとも３層構造の木製壁材を形成する
ことを特徴とする木造建築物用の木製壁材。
【請求項８】
少なくとも３枚の四角形状の木製板材が少なくとも一方の一端面が面一でないように接合された第１の木製壁材と、前記第１の木製壁材の前記面一でない一端面で組み合わされて面一の端面にするための第２の木製壁材とからなる木造建築物用の壁材であって、
前記第１の木製壁材は、
四角形状の第１の木製板材と、
幅が前記第１の木製板材と略同一の四角形状の第２の木製板材と、
前記第１及び第２の木製板材より幅が狭く長さが短い第３の四角形状の木製板材からなり、
前記第３の木製板材は前記第１及び第２の木製板材の間で幅方向に略中央の位置で接合され、
前記第１の木製壁材の一端において前記第１、第２及び第３の木製板材が面一であり、他端において前記第３の木製板材の端部が前記第１及び第２の木製板材のいずれの端部より長手方向に後退した位置にあって、各木製板材が面一でないように接合されており、
前記第２の木製壁材は、
幅と厚さが前記第１の木製壁材の前記第１及び第２の木製板材と略同一の第４の木製板材と、
前記第４の木製板材の一面に前記第４の木製板材と同一の幅で形成されて接合されたコの字状の第５の木製板材とからなり、
前記コの字状の第５の木製板材は、コの字状部分の内側が前記第４の木製板材と実質的に同一長さまで埋められており、
前記第４の木製板材と前記第５の木製板材は一端において面一になるように接合されており、
前記第１の壁材と前記第２の壁材を組み立てることによって、少なくとも一端面が面一の少なくとも３層構造の木製壁材を形成することを特徴とする木造建築物用の木製壁材。
【請求項９】
幅及び長さが略同一の第１及び第２の２枚の四角形状の木製板材と、
前記第１及び第２の四角形状の木製板材より幅が狭く長さが短い第３の四角形状の木製板材からなり、
前記第３の木製板材は前記第１及び第２の木製板材の間に挟まれて前記３枚の四角形状の木製板材が接合され、
前記第１と第２の木製板材は長手方向及び幅方向にずれた位置にあり、
前記第３の木製板材は前記第１の木製板材の幅方向に略中央に位置し、かつ、前記第１の木製板材と前記第３の木製板材の各一端が面一でないように接合されている
ことを特徴とする少なくとも３枚の四角形状の木製板材からなる木造建築物用の木製壁材。
【請求項１０】
四角形状の第１の木製板材と、
前記第１の四角形状の木製板材と幅が略同一で長さが前記第１の四角形状の木製板材より長い第２の四角形状の木製板材と、
前記第１及び第２の四角形状の木製板材より幅が狭く長さが短い第３の四角形状の木製板材からなり、
前記第３の木製板材は前記第１及び第２の木製板材の間に挟まれて前記３枚の四角形状の木製板材が接合され、
前記第１と第２の木製板材は、両方の木製板材が所定の角度を有して交差する関係にあり、
前記第３の木製板材は前記第１の木製板材の幅方向に略中央に位置し、かつ、前記第１の木製板材と前記第３の木製板材のいずれの端部も面一でないように接合されている
ことを特徴とする少なくとも３枚の四角形状の木製板材からなる木造建築物用の木製壁材。
【請求項１１】
３枚の板材から構成される壁材であって、前記壁材は、
幅が略同一で長さが略同一又は異なる第１及び第２の２枚の四角形状の木製板材と、  前記第１及び第２の四角形状の木製板材より幅が狭い第３の四角形状の木製板材とからなり、
前記第３の木製板材は前記第１及び第２の木製板材の間に挟まれて前記第１、第２及び第３の木製板材が接合されて構成され、
前記壁材と同じ構造の壁材を隣接して壁を形成した場合に、前記第１、第２及び第３の木製板材で囲まれた水平方向の空間と垂直方向の空間が前記壁材に形成され、それらの空間は隣接する前記壁材に形成される別の水平方向の空間と垂直方向の空間に接続される構造であることを特徴とする木造建築物用の木製壁材。
【請求項１２】
前記第３の木製板材は、前記第１の木製板材の幅方向に中央部で接合されていることを特徴とする請求項１１に記載の木造建築物用の木製壁材。
【請求項１３】
前記第１及び前記第２の木製板材は平行に配置され、前記第３の木製板材は前記第１及び前記第２の木製板材の幅方向に中央部で接合されていることを特徴とする請求項１１又は請求項１２に記載の木造建築物用の木製壁材。
【請求項１４】
前記第１及び前記第２の木製板材は、少なくとも一端において、長手方向にずれていることを特徴とする請求項１１から請求項１３のいずれかに記載の木造建築物用の木製壁材。
【請求項１５】
前記第１及び前記第２の木製板材は、両端において、長手方向にずれていることを特徴とする請求項１４に記載の木造建築物用の木製壁材。
【請求項１６】
前記第１及び前記第２の木製板材は、長手方向の長さが略同一であることを特徴とする請求項１５に記載の木造建築物用の木製壁材。
【請求項１７】
前記第３の木製板材は、長手方向の長さが前記第１及び前記第２の木製板材より短いことを特徴とする請求項１６に記載の木造建築物用の木製壁材。
【請求項１８】
前記第３の木製板材は、その一端が長手方向に前記第１及び前記第２の木製板材の一端の中間の位置にあり、他端が前記第１及び第２の木製板材の他端より引っ込んだ位置にあることを特徴とする請求項１７に記載の木造建築物用の木製壁材
【請求項１９】
前記第３の木製板材は、その両端が長手方向に前記第１及び前記第２の木製板材の各端部の中間の位置にあることを特徴とする請求項１７に記載の木造建築物用の木製壁材。
【請求項２０】
前記第３の木製板材は、その両端が長手方向に前記第１及び前記第２の木製板材の各端部より引っ込んだ位置にあることを特徴とする請求項１３に記載の木造建築物用の木製壁材。
【請求項２１】
前記第３の木製板材は、その一端が長手方向に前記第１及び前記第２の木製板材の一端の中間の位置にあり、前記第１及び前記第３の木製板材の他端は面一で前記第２の木製板材の他端より引っ込んだ位置にあることを特徴とする請求項１５に記載の木造建築物用の木製壁材。
【請求項２２】
前記第３の木製板材は、その一端が長手方向に前記第１及び前記第２の木製板材の一端より引っ込んだ位置にあり、前記第１及び前記第３の木製板材の他端は面一で記第２の木製板材の前記他端より引っ込んだ位置にあることを特徴とする請求項１５に記載の木造建築物用の木製壁材。
【請求項２３】
前記第２の木製板材は、長手方向の長さが前記第１の木製板材より短いことを特徴とする請求項１４に記載の木造建築物用の木製壁材。
【請求項２４】
前記第１、第２及び第３の木製板材は、長手方向の長さが前記第１、第３及び第２の順に短く、前記第３の木製板材は前記第１の木製板材の長手方向の中央部に位置し、前記第２の木製板材は前記第３の木製板材の長手方向の中央部に位置することを特徴とする請求項２３に記載の木造建築物用の木製壁材。
【請求項２５】
前記第１及び前記第２の木製板材は、両端が長手方向にずれないことを特徴とする請求項１１又は請求項１２に記載の木造建築物用の木製板材。
【請求項２６】
前記第１及び第２の木製板材は長手方向の長さが略同一で、前記第３の木製板材の一端は前記第１及び第２の木製板材の一端より引っ込んだ位置にあり、他端は前記第１及び第２の木製板材の他端より延びた位置にあることを特徴とする請求項２５に記載の木造建築物用の木製壁材。
【請求項２７】
前記第１及び第２の木製板材は長手方向の長さが略同一で、前記第３の木製板材は長手方向の長さが前記第１及び第２の木製板材より短く、前記第３の木製板材の両端は前記第１及び第２の木製板材の両端よりも引っ込んだ位置にあることを特徴とする請求項２５に記載の木造建築物用の木製壁材。
【請求項２８】
前記第１及び第２の木製板材は一端において長手方向にずれており、前記第１、第２及び第３の木製板材は他端において面一であることを特徴とする請求項２３に記載の木造建築物用の木製壁材。
【請求項２９】
前記第３の木製板材の一端は前記第１及び第２の木製板材の一端の中間の位置にあることを特徴とする請求項２８に記載の木造建築物用の木製壁材。
【請求項３０】
前記第３の木製板材の一端は前記第１及び第２の木製板材の一端より引っ込んだ位置にあることを特徴とする請求項２８に記載の木造建築物用の木製壁材。
【請求項３１】
前記第１及び第２の木製板材の長手方向の長さは略同一であり、前記第３の木製板材は前記第１の木製板材より短く前記第１の木製板材の幅方向及び長手方向の中央部に位置し、前記第２の木製板材は前記第１及び第３の木製板材に対して傾斜した平行四辺形状であることを特徴とする請求項１２に記載の木造建築物用の木製壁材。
【請求項３２】
前記第２の木製板材は前記第１の木製板材に対して長手方向にずれないことを特徴とする請求項３１に記載の本造建築物用の木製壁材。
【請求項３３】
前記第２の木製板材は前記第１の木製板材に対して長手方向にずれていることを特徴とする請求項３１に記載の木造建築物用の木製壁材。
【請求項３４】
前記第１及び第２の木製板材の長手方向の長さは略同一であり、前記第３の木製板材は前記第１の木製板材より短く前記第１の木製板材の幅方向及び長手方向の中央部に位置し、前記第２の木製板材は前記第１の木製板材に対して幅方向及び長手方向にずれていることを特徴とする請求項１１又は請求項１２に記載の木造建築物用の木製壁材。
【請求項３５】
幅及び長さが略同一の第１及び第２の平行四辺形状の木製板材と、前記第１及び第２の木製板材より幅が狭く長さが短い第３の長方形状の木製板材とからなり、
前記第１及び第２の木製板材は平行な位置にあり、
前記第３の木製板材は前記第１及び第２の木製板材の間で前記第１及び第２の木製板材に対して傾斜して、前記第１、第２及び第３が接合されている
ことを特徴とする少なくとも３枚の四角形状の木製板材からなる木造建築物用の木製壁材。
【請求項３６】
少なくとも３枚の四角形状の木製板材の広い面同士を接合して少なくとも３層構造の木製壁材を、長手方向を水平方向にして積み重ねることによって壁を形成した木造建築物であって、
前記少なくとも３層構造の木製壁材は、
幅が略同一の第１及び第２の２枚の四角形状の木製板材と、
前記第１及び第２の四角形状の木製板材より幅が狭く長さが前記第１又は第２の木製板材のうちの少なくとも一方の木製板材より短い第３の四角形状の木製板材とからなり、
前記第３の木製板材は、前記第１及び第２の四角形状の木製板材の間で幅方向に前記第１の木製板材の中央部の位置で接合され、かつ、前記第１と第２の四角形状の木製板材は、長手方向にずれた位置になるように、前記第１、第２及び第３の木製板材の各板面が接合されており、
前記第１、第２及び第３の木製板材に囲まれた水平方向に長い複数の空間と垂直方向に長い複数の空間が形成され、そのうちの一部の前記空間には中空のパイプ部材が埋め込まれ、前記パイプ部材の中に電気配線や給排水管などの設備が収納され、前記パイプ部材が埋め込まれない他の前記空間の全部又は一部には壁の強度を補強するための補強部材が埋め込まれている
ことを特徴とする木造建築物。
【請求項３７】
少なくとも３枚の四角形状の木製板材の広い面同士を接合して形成した少なくとも３層構造の第１、第２及び第３の木製壁材を、それぞれの長手方向を水平方向にして、積み重ねることによって壁及び壁の角部を形成した木造建築物であって、
所定の壁の中央部に配置される少なくとも３層構造の前記第１の木製壁材は、
幅及び長さが略同一の第６及び第７の２枚の四角形状の木製板材と、
前記第６及び第７の四角形状の木製板材より幅及び長さが短い第８の四角形状の木製板材とからなり、
前記第８の木製板材は、前記第６及び第７の四角形状の木製板材の間で幅方向に前記第６の木製板材の中央部の位置で接合され、かつ、前記第６と第７の四角形状の木製板材は、長手方向にずれた位置になるように、前記第６、第７及び第８の木製板材の各板面が接合されており、
前記所定の壁の角部に配置される少なくとも３層構造の前記第２の木製壁材は、
幅及び長さが略同一の第９及び第１０の２枚の四角形状の木製板材と、
前記第９及び第１０の四角形状の木製板材より幅が狭く長さが短い第１１の四角形状の木製板材からなり、
前記第１１の木製板材は前記第９及び第１０の木製板材の間に挟まれて前記第９、第１０及び第１１の木製板材が接合され、
前記第９と第１０の木製板材は長手方向にずれた位置にあり、
前記第１１の木製板材は前記第９の木製板材の幅方向に略中央に位置し、かつ、前記第９と第１１の木製板材の一端が面一になるように接合されており、前記第１０の木製板材は前記第９及び第１１の木製板材の面一の面より延びており、
前記第２の壁材と前記角部にてほぼ直角に交差する少なくとも３層構造の前記第３の壁材は、
四角形状の第１２の木製板材と、
前記第１２の四角形状の木製板材と幅が略同一で長さが前記第１２の四角形状の木製板材より長い第１３の四角形状の木製板材と、
前記第１２及び第１３の四角形状の木製板材より幅が狭く前記第１３の木製板材より短い第１４の四角形状の木製板材からなり、
前記第１４の四角形状の木製板材は前記第１２及び第１３の四角形状の木製板材の間で幅方向に略中央の位置で接合され、
前記第１２、第１３、及び第１４の木製板材の長手方向の各一端は面一であり、他端は長手方向にずれた位置になるように接合されており、
前記第２の木製壁材の前記第１０の木製板材の延びた面と前記第３の木製壁材の前記第１２、第１３及び第１４の面一の端面が接しており、
前記第１、第２及び第３の木製壁材の３層の各板材に囲まれた水平方向及び垂直方向に長い複数の空間が形成され、そのうちの一部の前記空間には中空のパイプ部材が埋め込まれ、前記パイプ部材の中に電気配線や給排水管などの設備が収納され、前記パイプ部材が埋め込まれない他の前記空間の全部又は一部には壁の強度を補強するための補強部材が埋め込まれている
ことを特徴とする木造建築物。
【請求項３８】
少なくとも３枚の四角形状の木製板材の広い面同士を接合して少なくとも３層構造の木製壁材を、長手方向を水平方向にして積み重ねることによって壁を形成した木造建築物であって、
前記少なくとも３層構造の木製壁材は、
幅が略同一で長さが略同一又は異なる第１及び第２の２枚の四角形状の木製板材と、前記第１及び第２の四角形状の木製板材より幅が狭い第３の四角形状の木製板材とからなり、
前記第３の木製板材は前記第１及び第２の木製板材の間に挟まれて前記第１、第２及び第３の木製板材が接合されて構成され、
前記第１、第２及び第３の木製板材に囲まれた水平方向に長い複数の空間と垂直方向に長い複数の空間が形成され、そのうちの一部の前記空間には中空のパイプ部材が埋め込まれ、前記パイプ部材の中に電気配線や給排水管などの設備が収納され、前記パイプ部材が埋め込まれない他の前記空間の全部又は一部には壁の強度を補強するための補強部材が埋め込まれている
ことを特徴とする木造建築物。
【発明の詳細な説明】
【技術分野】
【０００１】  本発明は、素人が簡便に車庫、倉庫、小屋などの木造建築物を建築するために、組立や解体を容易にできるとともに、壁内に給排水管や電気配線などの設備を納めることができる木製壁材と、その木製壁材を用いた木造建築物に関する。
【背景技術】
【０００２】  従来の木造建築物は、建築士の設計に基づいて、熟練した建築大工が施工している。そして、通常、それらの木造建築物は、耐震性、組立性、強度などを考慮して、最新技術による構造の柱や壁の材料を使用して建築される。
また、個人の自宅の車庫や倉庫などのように比較的小型の木造建築物でも、一般素人が建築することは現実には難しかった。【０００３】  最近は、素人でも日曜大工として小型の木造建築物を建築することの要望がある。そのような材料や部品を販売する小売店も多くなっている。
一方、建築物には生活に必要な給排水管や電気配線などの設備の配置をしなければならないが、素人が、壁や柱などに、そのために必要な特別の構造や装置を設置することは難しいという問題もある。
【先行技術文献】
【０００４】  比較的小型の木造建築物やその壁材に関する先行技術としては、以下の特許文献がある。
【特許文献】
【０００５】
【特許文献１】登録実用新案第３０３００４４  号公報
【特許文献２】特開平７−８２８１２  号公報
【特許文献３】特開２００８−９５３４４  号公報
【特許文献４】特開平７−１５８１６４  号公報
【特許文献５】特開２００５−２２０５５７  号公報
【０００６】  特許文献１には、丸太組構法で建てられるログハウスとそのための丸太組用建材が開示され、各丸太組建材は凸部と凹部を嵌合することによって壁の強度を高めて広い面積の壁を構成している。そして、壁用建材は、一つひとつが長いために重量が重く、クレーン又は多人数で施工する必要がある。また、太い丸太の加工そのものも熟練した技術を要する。更に、電気配線や給水配管をどこに設置するかについては開示されていない。【０００７】  特許文献２には、木造住宅とそれに使用する壁材の構造と製造方法が開示されている。各壁材は、丸太材から加工された２枚の角材の間に中間体の木板を挟んで構成されている。それらの壁材は長い木材である。それゆえに、各壁材で木造住宅を建築するには、特許文献１の場合と同様に、クレーンや多人数で施工する必要があり、素人が簡単に木造住宅を組み立てることを前提としていない。また、電気配線や給排水管などの設置場所に関しては何らの開示が無い。特に、特許文献２では、２枚の板材の中間に幅が狭い板材を挟んで接合されているが、３枚の板材の長手方向の長さは同じである。そのため、壁材の側面には３枚の木材に挟まれた空間が形成されるが、壁材の両端部では３枚の板材が面一であるので空間が形成されない。つまり、壁材を組み立てて壁を形成しても、水平方向と垂直方向に両方の空間が形成されないことになる。このことは、壁材を用いて組み立てた壁の内部に電気配線や給排水管などの設備を設置するとの思想が存在しないことを意味する。【０００８】  特許文献３には、ログハウスとそれに使用される柱材や壁材が開示されている。柱材には長手方向に案内溝が設けられ、壁材の端部の「太ぼ」と呼ばれる係合突起が前記柱材の案内溝に係合されることによって、順次積み重ねられて壁が形成されている。
そして、それら壁材は、比較的大きな建築物の他に、小屋や犬小屋等の小型建築物にも、適宜に改良、変更又は追加をしながら実施できると記載されているが、小型建築物に適用できうる改善策については具体的な開示が無い。
また、各壁材の上面には通水溝が形成されていて、部材間に雨水が侵入した際に、この雨水を、通水溝を介して柱材の案内溝内部に導水する。壁材の間に侵入した雨水は、通水溝内に積極的に導かれ、通水溝からログハウスの内側への侵入が阻止される。このように、各壁材の一部に通水溝のように雨水対策は開示されているが、建築物として設置しなければならない電気配線や給排水管の設置のための構造は何ら開示されていない。【０００９】  特許文献４には、縦に配置された複数の柱の間に、角柱状の複数の木質部材を互いに密着させながら立設し、柱や木質部材の接触面に凹溝を形成し、相対する凹溝間に係合部材を嵌合させて壁を構成することが開示されている。このように、壁材となる木質部材に凹溝を構成して、その中に係合部材を嵌合させる方法は一般的な壁の形成方法である。特に、特許文献４においては、柱と木質部材は、その長手方向が縦方向に配置されていて、しかも、木質部材はかなり長い寸法を有していて大型の運搬機械が必要であり、素人が簡便に組み立てることを想定していない。
また、電気配線や給排水管の配置については何らの開示が無い。【００１０】  特許文献５には、建築物の壁用部材は、複数の仕切板で分割された中空部を有し、上端面に長手方向に伸びる突状部と下端面に長手方向に伸びる溝部を有し、隣接する壁用部材同士の突状部と溝部を嵌合して壁を構成し、中空部には発砲スチロール又は発砲コンクリートが埋め込まれても良いことが開示されている。これらの建築物としては、ログハウス、コンテナ、車庫、倉庫などがある。この壁用部材は、大型と思われるが、中空にすることで軽量化を図っている。しかし、大型であるので、組立に当たっては、他の公知例と同様に、大型機械や多人数が必要であることには変わりない。
また、建築物として必要な電気配線や給排水管などの設置については、何らの開示が無い。
【発明の概要】
【発明が解決しようとする課題】
【００１１】  従来の木製壁材は、上記の特許文献１〜５に開示されるように、それを用いて木造建築物を組み立てるに当たり、木製壁材が比較的大きいことから、クレーンなどの大型機械を用いなければならないとか、多人数によって組み立てざるを得ないゆえに、素人が簡便に組み立てることができない問題があった。
また、素人が建築物に必要な電気配線や給排水管などを建築物に設置することができるとともに、それらの電気配線や給水管などが建築物の内部や外部の人目に触れる場所に目立つことが無く、美観を損なわないで、それらを配置することができるための構造が存在しなかったということが問題である。
即ち、上記の特許文献１〜５には、壁材を組み立てて建築物の壁を建設した場合に、各壁材が隣接する他の壁材との間に、水平方向及び垂直方向に電気配線や給排水管などを設置する空間が形成されない構造になっている。【００１２】  そこで、本発明者は、素人が、少人数で簡便に、比較的小型の木造建築物を組み立てることができるためには、一つひとつの木製壁材が一人または少人数で運搬機械装置なしに持ち上げることができる程度の大きさにして簡便に組み立てることができることと、木製壁材の構造に工夫をして電気配線や給排水管などを埋め込むことができる木製壁材にすることを鋭意検討した結果、本発明に至ったのである。【００１３】  そして、発明者は、それを解決するために、木造建築物の全ての壁に共通して用いることができる複数種類の小型の基本的構造の各木製壁材を予め形成し、それらの基本構造の木製壁材には電気配線や給排水管などを簡便に埋め込むことができる特殊の構造とした。それによって、素人が簡便に組み立てることができるとともに、必要な設備を壁の内部に埋め込むことによって美観を損なわない木造建築物を実現することを考えたのである。【００１４】  更に、発明者は、木製壁材の各基本構造として、間伐材などを利用できるような比較的小型にして、素人が一人または少人数でも運搬し組み立てることができるようにした。そのために、長手方向の長さを短くして小型化を図り、木製壁材を積み重ねて簡便に壁を形成し、木製壁材の上面、下面、側面で囲まれた場所に電気配線や給排水管等の設備が配置できる水平方向及び垂直方向の空間を予め形成しておくことを検討した。【００１５】  本発明は、素人が簡便に組み立てることができて、建築物に必須の電気配線や給排水管などの設備を美観を損なわずに壁の中に設置できるような木製壁材を提供することを目的とする。【００１６】  また、本発明は、そのような木製壁材を用いた木造建築物を提供することを目的とする。
【課題を解決するための手段】
【００１７】  本発明の第一の特徴は、
幅が略同一で長さは略同一又は異なる第１及び第２の２枚の四角形状の木製板材と、
前記第１及び第２の四角形状の木製板材より幅が狭く長さが前記第１又は第２の木製板材のうちの少なくとも一方の木製板材より短い第３の四角形状の木製板材からなり、
前記第３の木製板材は、前記第１及び第２の四角形状の木製板材の間で幅方向には中央部の位置で、長手方向には前記第１と第２の四角形状の木製板材の少なくとも一方の端部がずれた位置になるように、前記第１、第２及び第３の木製板材の各板面が接合されている
ことを特徴とする少なくとも３枚の四角形状の木製板材からなる木造建築物用の木製壁材である。【００１８】  本発明の第一の特徴によって、中間に配置される第３の木製板材の幅が狭く、かつ、長さが同一又は違いがあるので、木造建築物の壁材として積み重ねて使用された場合に、第１、第２及び第３の木製板材に囲まれた空間が垂直方向と水平方向の両方に形成され、その空間を木造建築物に必要な電気配線や給水管などを設置する空間とすることができ、しかも、美観を損なわない木造建築物にすることができるという効果がある。
また、この特徴によって、木製壁材の長さを適切に短くして、素人が少人数で大型の運搬機械無しに多数の木製板材を簡便に積み重ねて組み立てることができるという効果もある。
更には、少なくとも３枚の木製板材の長さや接合位置を適切に変更した複数種類の構造の木製壁材を構成することができる。それにより、それらの複数種類の構造の小型の基本的壁材を、組み立てるべき壁の位置によって適切に採用することができ、素人が、木造建築物を簡便に組み立てることができるという効果がある。【００１９】  本発明の第二の特徴は、
幅及び長さが略同一の第１及び第２の２枚の四角形状の木製板材と、
前記第１及び第２の四角形状の木製板材より幅が狭く長さが短い第３の四角形状の木製板材からなり、
前記第３の木製板材は前記第１及び第２の木製板材の間に挟まれて前記第１、第２及び第３の木製板材が接合され、
前記第１と第２の木製板材は長手方向にずれた位置にあり、
前記第３の木製板材は前記第１の木製板材の幅方向に略中央に位置し、かつ、前記第１の木製板材と前記第３の木製板材のいずれの端部も面一でないように接合されている
ことを特徴とする少なくとも３枚の四角形状の木製板材からなる木造建築物用の木製壁材である。【００２０】  本発明の第二の特徴によって、木造建築物の壁のうち中央部の広い壁を形成するのに好適な壁材を提供することができる。【００２１】  本発明の第三の特徴は、
幅及び長さが略同一の第１及び第２の２枚の四角形状の木製板材と、
前記第１及び第２の四角形状の木製板材より幅が狭く長さが短い第３の四角形状の木製板材からなり、
前記第３の木製板材は前記第１及び第２の木製板材の間に挟まれて前記第１、第２及び第３の木製板材が接合され、
前記第１と第２の木製板材は長手方向にずれた位置にあり、
前記第３の木製板材は前記第１の木製板材の幅方向に略中央に位置し、かつ、前記第１と第３の木製板材の一端が面一になるように接合されている
ことを特徴とする少なくとも３枚の四角形状の木製板材からなる木造建築物用の木製壁材である。【００２２】  本発明の第三の特徴によって、木造建築物の壁の角部の壁材に好適な壁材を提供することができる。【００２３】  本発明の第四の特徴は、
四角形状の第１の木製板材と、
前記第１の四角形状の木製板材と幅が略同一で長さが前記第１の四角形状の木製板材より長い第２の四角形状の木製板材と、
前記第１及び第２の四角形状の木製板材より幅が狭く前記第２の木製板材より短い第３の四角形状の木製板材からなり、
前記第３の四角形状の木製板材は前記第１及び第２の四角形状の木製板材の間で幅方向に略中央の位置で接合され、
前記第１、第２、及び第３の木製板材の長手方向の各一端は面一であり、各木製板材の他端は長手方向にずれた位置になるように接合されている
ことを特徴とする少なくとも３枚の四角形状の木製板材からなる木造建築物用の木製壁材である。【００２４】  本発明の第五の特徴は、
四角形状の第１の木製板材と、
前記第１の四角形状の木製板材と幅が略同一で長さが前記第１の四角形状の木製板材より長い第２の四角形状の木製板材と、
前記第１及び第２の四角形状の木製板材より幅が狭く前記第１の木製板材より長く前記第２の木製板材より短い長さの第３の四角形状の木製板材からなり、
前記第３の四角形状の木製板材は前記第１及び第２の四角形状の木製板材の間で幅方向に略中央の位置で接合され、
前記第１、第２、及び第３の木製板材の長手方向の各一端は面一であり、他端は長手方向にずれた位置になるように接合されており、
前記第１の四角形の木製板材は、前記第１、第２及び第３の木製板材が面一になっている端部において、幅方向の両端に切欠き部が形成されている
ことを特徴とする少なくとも３枚の四角形状の木製板材からなる木造建築物用の木製壁材である。【００２５】  本発明の第六の特徴は、
四角形状の第１の木製板材と、
前記第１の四角形状の木製板材と幅が略同一で長さが前記第１の四角形状の木製板材より長い第２の四角形状の木製板材と、
前記第１及び第２の四角形状の木製板材より幅が狭く長さが短い第３の四角形状の木製板材からなり、
前記第３の四角形状の木製板材は前記第１及び第２の四角形状の木製板材の間で幅方向に略中央の位置で接合され、
前記第１、第２及び第３の木製板材の長手方向の各一端は面一の位置にあり、他端は長手方向にずれた位置になるように接合されており、
前記第１の四角形状の木製板材は、前記第１、第２及び第３の木製板材が面一になっている端部において、幅方向の両端に切欠き部が形成されている
ことを特徴とする少なくとも３枚の四角形状の木製板材からなる木造建築物用の木製壁材である。【００２６】  本発明の第四乃至第六の特徴によって、木造建築物の壁が交差する角部を形成するのに好適な木製壁材を提供することができる。【００２７】  この本発明の第一乃至第六の特徴によって、少なくとも３枚の木製板材を接合した基本的な構造の木製壁材を複数種類準備することができ、素人が、いずれかの種類の基本的な構造の木製壁材を適宜採用して、その長さを適切に調整して重量が大きくならず、素人が簡便に運搬して木造建築物を組み立てることができる効果がある。【００２８】  本発明の第七の特徴は、
少なくとも３枚の四角形状の木製板材が少なくとも一方の一端面が面一でないように接合された第１の木製壁材と、前記第１の木製壁材の前記面一でない一端面で組み合わされて面一の端面にするための第２の木製壁材とからなる木造建築物用の木製壁材であって、
前記第１の木製壁材は、
四角形状の第１の木製板材と、
幅が前記第１の木製板材と略同一の四角形状の第２の木製板材と、
前記第１及び第２の木製板材より幅が狭く、少なくとも前記第２の木製板材より短い長さの第３の四角形状の木製板材からなり、
前記第３の木製板材は前記第１及び第２の木製板材の間で幅方向に略中央の位置で接合され、
前記第１の木製壁材の一端において、長手方向に、前記第３の木製板材の端部が前記第１の木製板材と前記第２の木製板材の中間の位置にあって各木製板材が面一でないように接合されており、
前記第２の木製壁材は、
前記第１及び第２の木製板材の幅と厚さが略同一の第４の木製板材と、
前記第４の木製板材の一面に前記第４の木製板材と同一の幅で形成されて接合されたコの字状の第５の木製板材からなり、
前記第４の木製板材と前記第５の木製板材は一端において面一になるように接合されており、
前記第１の壁材と前記第２の壁材を組み立てることによって、少なくとも一端面が面一の少なくとも３層構造の木製壁材を形成する
ことを特徴とする木造建築物用の木製壁材である。【００２９】  本発明の第七の特徴によれば、少なくとも３枚の木製板材によって形成された第１の木製壁材の一端において、それら少なくとも３枚の板材が面一でない場合にも、別の第２の木製壁材と組み合わせることによって、面一の一端を有する新たな壁材が形成される。この新たな壁材は、木造建築物の出入口や窓などと接する場所に使用される木製壁材に好適な壁材になる。
なお、第１の壁材としては第１、第２及び第３の板材の一端が面一でない壁材を対象としているが、他端は面一であっても、面一でなくても良い。【００３０】  本発明の第八の特徴は、
少なくとも３枚の四角形状の木製板材が少なくとも一方の一端面が面一でないように接合された第１の木製壁材と、前記第１の木製壁材の前記面一でない一端面で組み合わされて面一の端面にするための第２の木製壁材とからなる木造建築物用の壁材であって、
前記第１の木製壁材は、
四角形状の第１の木製板材と、
幅が前記第１の木製板材と略同一の四角形状の第２の木製板材と、
前記第１及び第２の木製板材より幅が狭く長さが短い第３の四角形状の木製板材からなり、
前記第３の木製板材は前記第１及び第２の木製板材の間で幅方向に略中央の位置で接合され、
前記第１の木製板材の一端において前記第１、第２及び第３の木製板材が面一であり、他端において前記第３の木製板材の端部が前記第１及び第２の木製板材のいずれの端部より長手方向に後退した位置にあって、各木製板材が面一でないように接合されており、
前記第２の木製壁材は、
幅と厚さが前記第１の木製壁材の前記第１及び第２の木製板材と略同一の第４の木製板材と、
前記第４の木製板材の一面に前記第４の木製板材と同一の幅で形成されて接合されたコの字状の第５の木製板材とからなり、
前記コの字状の第５の木製板材は、コの字状部分の内側が前記第４の木製板材と実質的に同一長さまで埋められており、
前記第４の木製板材と前記第５の木製板材は一端において面一になるように接合されており、
前記第１の壁材と前記第２の壁材を組み立てることによって、少なくとも一端面が面一の少なくとも３層構造の木製壁材を形成する
ことを特徴とする木造建築物用の木製壁材である。【００３１】  本発明の第八の特徴によれば、第七の特徴と同様に、少なくとも３枚の木製板材によって形成された木製壁材の一端において、３枚の板材が面一でない場合にも、別の木製壁材と組み合わせることによって面一の一端を有する新たな壁材が形成される。木造建築物の出入口や窓などと接する場所に使用される木製壁材に好適な壁材を得ることができる。【００３２】  本発明の第七及び第八の特徴によって、壁に設置される出入口や窓などと接する位置が面一であることが求められる場合に好適な木製壁材を提供することができる。【００３３】  本発明の第九の特徴は、
幅及び長さが略同一の第１及び第２の２枚の四角形状の木製板材と、
前記第１及び第２の四角形状の木製板材より幅が狭く長さが短い第３の四角形状の木製板材からなり、
前記第３の木製板材は前記第１及び第２の木製板材の間に挟まれて前記３枚の四角形状の木製板材が接合され、
前記第１と第２の木製板材は長手方向及び幅方向にずれた位置にあり、
前記第３の木製板材は前記第１の木製板材の幅方向に略中央に位置し、かつ、前記第１の木製板材と前記第３の木製板材の各一端が面一でないように接合されている
ことを特徴とする少なくとも３枚の四角形状の木製板材からなる木造建築物用の木製壁材である。【００３４】  本発明の第九の特徴によれば、木製壁材の３層の板材は、相互に、幅方向と長さ方向にずれているので、木造建築物として積み上げて組み立てた場合には、水平方向と垂直方向の隣接する木製壁材との間の隙間が壁材を貫通して、壁の反対側が見えるとか、空気や光が通過することが無くなる。
また、３枚の木製板材のうちの建築物の外側又は内側の１枚を取り外すことによって、壁材そのものや、隣接する壁材との間に形成する空間に収納したパイプ部材や補強部材の保守点検を容易に行うことができる。【００３５】  本発明の第十の特徴は、
四角形状の第１の木製板材と、
前記第１の四角形状の木製板材と幅が略同一で長さが前記第１の四角形状の木製板材より長い第２の四角形状の木製板材と、
前記第１及び第２の四角形状の木製板材より幅が狭く長さが短い第３の四角形状の木製板材からなり、
前記第３の木製板材は前記第１及び第２の木製板材の間に挟まれて前記３枚の四角形状の木製板材が接合され、
前記第１と第２の木製板材は、両方の木製板材が所定の角度を有して交差する関係にあり、
前記第３の木製板材は前記第１の木製板材の幅方向に略中央に位置し、かつ、前記第１の木製板材と前記第３の木製板材のいずれの端部も面一でないように接合されている
ことを特徴とする少なくとも３枚の四角形状の木製板材からなる木造建築物用の木製壁材である。【００３６】  本発明の第十の特徴によれば、壁材は、３層の板材のうち、両側の第１と第２の板材が長手方向にずれていると共に、所定の角度で傾斜した位置関係にあるので、この壁材同士を垂直方向及び水平方向に隣接して配置して壁を形成すると、壁材同士の隙間が傾斜して見える。そのために、壁に傾斜を有する線の模様が美観を高めるという効果を得ることができる。【００３７】  本発明の第十一の特徴は、
３枚の板材から構成される壁材であって、前記壁材は、
幅が略同一で長さが略同一又は異なる第１及び第２の２枚の四角形状の木製板材と、  前記第１及び第２の四角形状の木製板材より幅が狭い第３の四角形状の木製板材とからなり、
前記第３の木製板材は前記第１及び第２の木製板材の間に挟まれて前記第１、第２及び第３の木製板材が接合されて構成され、
前記壁材と同じ構造の壁材を隣接して壁を形成した場合に、前記第１、第２及び第３の木製板材で囲まれた水平方向の空間と垂直方向の空間が前記壁材に形成され、それらの空間は隣接する前記壁材に形成される別の水平方向の空間と垂直方向の空間に接続される構造であることを特徴とする木造建築物用の木製壁材。【００３８】  本発明の第十一の特徴によれば、３枚の板材を接合して、３枚の板材に囲まれた水平方向の空間と垂直方向の空間を形成される構造の壁材であるので、この壁材を利用して壁を組み立てた場合には、壁の内部に水平方向と垂直方向の空間に電気配線や給排水管などの設備を配置することができる効果がある。【００３９】  本発明の第十二の特徴は、
少なくとも３枚の四角形状の木製板材の広い面同士を接合して少なくとも３層構造の木製壁材を、長手方向を水平方向にして積み重ねることによって壁を形成した木造建築物であって、
前記少なくとも３層構造の木製壁材は、
幅が略同一の第１及び第２の２枚の四角形状の木製板材と、
前記第１及び第２の四角形状の木製板材より幅が狭く長さが前記第１又は第２の木製板材のうちの少なくとも一方の木製板材より短い第３の四角形状の木製板材とからなり、
前記第３の木製板材は、前記第１及び第２の四角形状の木製板材の間で幅方向に前記第１の木製板材の中央部の位置で接合され、かつ、前記第１と第２の四角形状の木製板材は、長手方向にずれた位置になるように、前記第１、第２及び第３の木製板材の各板面が接合されており、
前記第１、第２及び第３の木製板材に囲まれた水平方向に長い複数の空間と垂直方向に長い複数の空間が形成され、そのうちの一部の前記空間には中空のパイプ部材が埋め込まれ、前記パイプ部材の中に電気配線や給排水管などの設備が収納され、前記パイプ部材が埋め込まれない他の前記空間の全部又は一部には壁の強度を補強するための補強部材が埋め込まれている
ことを特徴とする木造建築物である。【００４０】  本発明の第十二の特徴により、その長さを適切に調整しうる簡便に運搬できる少なくとも３層構造の木製壁材を積層して組み立てることによって、素人が大型運搬機械を使用せずに、簡便に組み立てることができ、しかも、隣接する３層構造の木製壁材の間に形成される空間の一部に電気配線や給排水管などの設備を配置することによってそれらの設備が建築物内外の外観に露出しないので美観を損なわず、他の空間の一部に補強部材を埋め込むことによって補強された木造建築物を提供できる。【００４１】  本発明の第十三の特徴は、
少なくとも３枚の四角形状の木製板材の広い面同士を接合して形成した少なくとも３層構造の第１、第２及び第３の木製壁材を、それぞれの長手方向を水平方向にして、積み重ねることによって壁及び壁の角部を形成した木造建築物であって、
所定の壁の中央部に配置される少なくとも３層構造の前記第１の木製壁材は、
幅及び長さが略同一の第６及び第７の２枚の四角形状の木製板材と、
前記第６及び第７の四角形状の木製板材より幅及び長さが短い第８の四角形状の木製板材とからなり、
前記第８の木製板材は、前記第６及び第７の四角形状の木製板材の間で幅方向に前記第６の木製板材の中央部の位置で接合され、かつ、前記第６と第７の四角形状の木製板材は、長手方向にずれた位置になるように、前記第６、第７及び第８の木製板材の各板面が接合されており、
前記所定の壁の角部に配置される少なくとも３層構造の前記第２の木製壁材は、
幅及び長さが略同一の第９及び第１０の２枚の四角形状の木製板材と、
前記第９及び第１０の四角形状の木製板材より幅が狭く長さが短い第１１の四角形状の木製板材からなり、
前記第１１の木製板材は前記第９及び第１０の木製板材の間に挟まれて前記第９、第１０及び第１１の木製板材が接合され、
前記第９と第１０の木製板材は長手方向にずれた位置にあり、
前記第１１の木製板材は前記第９の木製板材の幅方向に略中央に位置し、かつ、前記第９と第１１の木製板材の一端が面一になるように接合されており、前記第１０の木製板材は前記第９及び第１１の木製板材の面一の面より延びており、
前記第２の壁材と前記角部にてほぼ直角に交差する少なくとも３層構造の前記第３の壁材は、
四角形状の第１２の木製板材と、
前記第１２の四角形状の木製板材と幅が略同一で長さが前記第１２の四角形状の木製板材より長い第１３の四角形状の木製板材と、
前記第１２及び第１３の四角形状の木製板材より幅が狭く前記第１３の木製板材より短い第１４の四角形状の木製板材からなり、
前記第１４の四角形状の木製板材は前記第１２及び第１３の四角形状の木製板材の間で幅方向に略中央の位置で接合され、
前記第１２、第１３、及び第１４の木製板材の長手方向の各一端は面一であり、他端は長手方向にずれた位置になるように接合されており、
前記第２の木製壁材の前記第１０の木製板材の延びた面と前記第３の木製壁材の前記第１２、第１３及び第１４の面一の端面が接しており、
前記第１、第２及び第３の木製壁材の３層の各板材に囲まれた水平方向及び垂直方向に長い複数の空間が形成され、そのうちの一部の前記空間には中空のパイプ部材が埋め込まれ、前記パイプ部材の中に電気配線や給排水管などの設備が収納され、前記パイプ部材が埋め込まれない他の前記空間の全部又は一部には壁の強度を補強するための補強部材が埋め込まれている
ことを特徴とする木造建築物である。【００４２】  本発明の第十三の特徴によれば、建築物の壁の中央部と角部における具体的な壁材の組み合わせを示している。【００４３】  本発明の第十四の特徴は、
少なくとも３枚の四角形状の木製板材の広い面同士を接合して少なくとも３層構造の木製壁材を、長手方向を水平方向にして積み重ねることによって壁を形成した木造建築物であって、
前記少なくとも３層構造の木製壁材は、
幅が略同一で長さが略同一又は異なる第１及び第２の２枚の四角形状の木製板材と、
前記第１及び第２の四角形状の木製板材より幅が狭い第３の四角形状の木製板材とからなり、
前記第３の木製板材は前記第１及び第２の木製板材の間に挟まれて前記第１、第２及び第３の木製板材が接合されて構成され、
前記第１、第２及び第３の木製板材に囲まれた水平方向に長い複数の空間と垂直方向に長い複数の空間が形成され、そのうちの一部の前記空間には中空のパイプ部材が埋め込まれ、前記パイプ部材の中に電気配線や給排水管などの設備が収納され、前記パイプ部材が埋め込まれない他の前記空間の全部又は一部には壁の強度を補強するための補強部材が埋め込まれている
ことを特徴とする木造建築物である。【００４４】  本発明の第十四の特徴によれば、本発明による壁材を使用して形成した壁を有する木造建築物を示している。
【発明の効果】
【００４５】    本発明によれば、木造建築物の壁を、少なくとも３枚の板材の少なくとも３層構造でその板材の形状や位置関係などを工夫することによって、壁の垂直方向や水平方向に少なくとも３枚の板材に囲まれた多数の空間を形成し、その空間の中に、配線や給排水管などの設備を配置し、壁の補強部材を配置することができる壁材を提供できる効果がある。
特に、そのような壁材として、複数種類の基本的な構造の壁材を形成することができる。
更に、その複数種類の壁材を適切に組み合わせて形成した壁を有する木造建築物を提供できる。【００４６】  本発明によれば、少なくとも３枚の木製板材を重ね合せた基本的な少なくとも３層構造の複数種類の木製壁材をそろえることができ、その長さを適切に調整して重量が大きくならず、素人が少人数で運搬したり組み立てたりすることができる複数種類の木製壁材を提供できるという効果がある。【００４７】  本発明によれば、その長さを適切に調整することによって簡便に運搬できる基本的な少なくとも３層構造の複数種類の木製壁材から適切に選択して垂直方向に積層するとともに、水平方向に隣接して配置して組み立てることによって、素人が大型運搬機械を使用せずに簡便に組み立てることができ、しかも、垂直方向又は水平方向に隣接する少なくとも３層構造の木製壁材の間に形成される空間の一部に、電気配線や給排水管などの設備を配置することによってそれらの設備が建築物内外の外観に露出しないので美観を損なわず、その他の前記空間の全部又は一部に補強部材を埋め込むことによって強度が補強された木造建築物を提供できる。
【図面の簡単な説明】
【００４８】
【図１】図１は、本発明による木製壁材を用いて組み立てられた木造建築物の斜視図である。
【図２】図２は、本発明の木製壁材を用いて壁を構成する内容を示す斜視図である。
【図３】図３（ａ）は、本発明の木製壁材の一実施形態を示す斜視図であり、図３（ｂ）は、図３（ａ）のＸ―Ｘ断面図である。特に、木製板材が水平方向にずれている場合を示す。
【図４】図４は、本発明の木製壁材の別の実施形態を示す斜視図である。
【図５】図５（ａ）及び図５（ｂ）は、本発明の木製壁材の更に別の実施形態を示す斜視図である。特に、図５（ａ）は、３枚の板材のうちの中央の板材の端部が両側の板材の中間にあり、図５（ｂ）では両側の板材より引っ込んだ位置にある場合を示す。
【図６】図６は、本発明の木製壁材の更に別の実施形態を示す斜視図である。
【図７】図７は、本発明の木製壁材の端部で組み合わせて壁の端部を面一にするコの字状部材の一実施形態を示す斜視図である。
【図８】図８は、本発明の木製壁材の端部で組み合わせて壁の端部を面一にするコの字状部材の別の実施形態を示す斜視図である。
【図９】図９（ａ）は、本発明の木製壁材同士を組み合わせるやり方の説明図である。図９（ｂ）（ｃ）（ｄ）は、本発明の木製壁材にコの字状部材を組み合わせるやり方の説明図である。
【図１０】図１０は、本発明の木製壁材で構成した壁に形成された空間にパイプ部材と補強部材を埋め込んだ状態を示す斜視図である。
【図１１】図１１は、本発明の２種類の木製壁材壁を組み合わせて建築物の角部を構成した状態を示す斜視図である。
【図１２】図１２は、本発明の別の実施態様を示す斜視図である。特に、木製板材が水平方向と垂直方向の両方にずれている場合を示す。
【図１３】図１３（ａ）は、図１２に示す壁材を２個、垂直方向に積み上げて組み立てた状態を示す斜視図である。図１３（ｂ）は、図１３（ａ）に示す壁材のＹ―Ｙ断面図である。
【図１４】図１４は、図１３（ａ）に示す２個の壁材を組み立てたものから１枚の板材を取り外した状態を示す説明図である。
【図１５】図１５は、本発明の更に別の実施態様を示す図である。特に、３枚の板材のうち、外の１枚の板材が他の２枚の板材に対して、幅方向、長さ方向、回転方向にずれている場合を示す斜視図である。
【図１６】図１６は、本発明の更に別の実施態様を示す図である。特に、３枚の板材のうち、両側の２枚の板材の長さが同一で、中間の板材が短くてその両端が両側の板材より引っ込んでいる場合を示す斜視図である。
【図１７】図１７は、壁に千鳥足状の模様が形成されない場合を示す壁の一部の斜視図である。
【図１８】図１８は、本発明の更に別の実施態様を示す図である。特に、両側の板材がずれて、中間の板材の両端がともに両側の板材よりも引っ込んでいる場合を示す斜視図である。
【図１９】図１９は、図１８に示す実施態様の壁材同士を接続した場合を示す斜視図である。
【図２０】図２０は、本発明の更に別の実施態様を示す図である。特に、中間の板材の両端が両側の板材の端部の中間の位置にある場合を示す斜視図である。
【図２１】図２１は、図２０に示す実施態様の壁材と図１８に示す実施態様の壁材を接続した場合を示す斜視図である。
【図２２】図２２は、本発明の更に別の実施態様を示す図である。特に、中間の板材の両端が両側の板材の端部の中間に位置する場合を示す斜視図である。
【図２３】図２３は、図２２に示す壁材同士を接続した場合を示す斜視図である。
【図２４】図２４は、本発明の更に別の実施態様を示す図である。特に、中間の板材の一端が両側の板材の端部より引っ込み、他端が突出した場合を示す斜視図である。
【図２５】図２５は、図２４に示す壁材同士を接続した場合を示す斜視図である。
【図２６】図２６は、本発明の更に別の実施態様を示す図である。特に、両側の２枚の板材が中間の板材に対して傾斜している場合を示す斜視図である。
【図２７】図２７は、図２６に示す壁材同士を接続した場合を示す斜視図である。
【発明を実施するための形態】
【００４９】  図１は、本発明の好適な実施形態の木造建築物１の全体構造を示す斜視図である。木造建築物１としては、倉庫、車庫、ツリーハウス、犬小屋などの一般的な、比較的小型の木造建築物である。この木造建築物１は、壁２、屋根３、出入口４、窓５などを備えていても良く、基本的な使用材料は木材である。そして、本発明の特徴部分の対象である壁２は、壁２を構成する一つひとつの長方形状の壁材６が、通常のログハウスのように積み上げられて組み立てられたものである。そして、各壁材６は、素人が大型の運搬機械を使用しないでも少人数で運べる程度の大きさと重量である。
【００５０】  図２は、図１に示す木造建築物１の壁２の角部７の構造を説明するための詳細な斜視図である。
図２において、壁２の広い中央部には３枚の板材からなる３層構造の木製壁材８が用いられる。壁２の両端部に位置する角部７には、複数種類の構造の木製壁材９、１０、１１、１２が用いられる。木製壁材８も木製壁材９、１０、１１、１２も、基本的には、大型重機を用いなくても運搬したり組み立てたりすることが可能な大きさと重量であり、１０Ｋｇ以下が望ましい。
【００５１】  図２に示す壁２の中央部では、比較的長い長方形状の３層構造の木製壁材８を垂直方向に積み重ねると共に、その端部が水平方向に千鳥状にずれているように配置される。木製壁材８を水平方向に千鳥状に配置することによって、木材の経年変化による変形が生じても壁２の美観を保つことができる。千鳥状にするには、３層構造の木製壁材８の両側の長い２枚の板材が長手方向にずれていることを利用する。隣接する２つの木製壁材８のずれを交互に配置すれば、壁２の外部からは千鳥状に見える。この木製壁材８については、別途、図３及び図９（ａ）にて詳述する。
なお、この実施形態では木製壁材８を千鳥状に配置したが、言うまでも無く、千鳥状でなくても良い。千鳥状でない実施態様については後述する。
【００５２】  図２に示す各壁２の両端部の角部７は、２つの壁２が直角に交差することが一般的である。その直角の交差部である角部７を構成するのが木製壁材９、１０、１１、１２であり、その長さは、木製壁材８よりも比較的短い。これらの木製壁材９、１０、１１、１２のうち、木製壁材９と木製壁材１１は、同一形状であってもよく、木製壁材１０と木製壁材１２も同一形状であってもよい。この壁２の角部７においても、木製壁材９、１０、１１、１２が水平方向に千鳥状にずれて配置されることにより、木材の経年変化による変形の影響を少なくすることができる。木製壁材９、１０、１１、１２を、後述する図９（ａ）（ｂ）（ｃ）（ｄ）に示すように、木製壁材同士又は木製壁材とコの字状部材を適切に組み合わせて組み立てることによって、壁２の角部７を構成することができる。
【００５３】  図２で、壁２の端１３は、出入口や窓などを構成する場合のように、面一になっていることが望ましい。このため、図９（ｂ）（ｃ）に図示するように、壁材９、１０の端部にコの字状壁材１４を組み合わせることによって、壁２の端部で各壁材９、１０を構成する３枚の木製板材の長手方向のずれが無くなり面一にする。
なお、壁材として図９（ｄ）に示す壁材１１を使用した場合には、コの字状壁材１５が好ましい。
これらのコの字状壁材１４、１５については、図７、８にて詳述する。
【００５４】  図２に示す各壁材８、９、１０、１１、１２は、３枚の木製板材からなる３層構造になっており、図３（ａ）、４、５（ａ）（ｂ）、６、９（ａ）（ｂ）（ｃ）（ｄ）に示すように、中間の木製板材の端部が両側の板材のうちの一方又は両方の板材の端部よりも短くなっている。そのために、２つの３層構造の壁材を適切に組み合わせることによって、中間の木製板材と両側の２枚の木製板材に囲まれた空間１６が、壁２の垂直方向に多数形成される。
また、中間の板材の幅が両端の板材の幅よりも狭いことから、各壁材の中間の板材と両側の２枚の板材の間にも、多数の空間１７が壁２の水平方向に形成される。
【００５５】  その結果、複数種類の基本構造の壁材８、９、１０、１１、１２、１４、１５を適切に組み合わせることによって、ほとんど全ての壁材の内部に垂直方向の空間１６又は水平方向の空間１７を形成することができる。そして、空間１６と空間１７を通じて、壁の内部や木造建築物の外部と内部を自由に通じさせることもできる。
【００５６】  図１０に示すように、壁材８を組み立てることによって壁の内部に形成された空間１６、１７のうちの一部の空間の内部には、パイプ部材１８が配置される。パイプ部材１８としては、強度を考慮してステンレスや硬質樹脂などが好ましいが、他の材質でも良い。このパイプ部材の中に、建築物に必要な電気配線や給排水管などの設備が通されている。この空間１６、１７は、壁材８、９、１０、１１、１２に囲まれていて、壁の内部に収納されているために、木造建築物１の内側からも外側からも見えないので、配線や給排水管などの設備が見えることが無く、建築物の美観が損なわれない。
【００５７】  パイプ部材１８が設置される空間１６、１７以外にも多数の空間１６、１７が水平方向にも垂直方向にも存在する。図１０に示すように、それらの空間１６、１７には、必要に応じて、壁２全体の強度を補強するための強度補強部材１９を埋め込むことが望ましい。本発明の対象物が木造建築物であることを考慮すると、壁の強度補強部材１９としては木材が妥当である。
【００５８】  図３（ａ）は、前述の木製壁材８を詳細に説明する斜視図である。図３（ｂ）は、図３（ａ）に示す木製壁材８のＸ―Ｘ断面図である。
ここで、木製壁材８は、３枚の細長い長方形状の木製板材が接合された３層構造である。３枚の木製板材は、エポキシ樹脂などの接着剤によって接着されるのが望ましいが、この接着剤による接着以外にも、何らかの方法によって接合されればよい。両側の第１の木製板材２０と第２の木製板材２１は、一例として、長方形状の長手方向の寸法（Ａ）が９１０ｍｍ、短い方向の寸法、即ち、幅（Ｂ）が１０５ｍｍ、板厚（Ｃ）が３７．５ｍｍである。第１の木製板材２０と第２の木製板材２１の間に挟まれた中間の第３の木製板材２２は、長手方向の寸法（Ｄ）が８７０．０ｍｍ、短い方向の寸法、即ち、幅（Ｅ）が６５．０ｍｍ、板厚（Ｆ）が３０．０ｍｍであり、図示されるように、第１の木製板材２０の長手方向及び幅方向に中央の位置に接合されている。そのために、第１の木製板材２０と第３の木製板材２２の端部は面一になっていない。
【００５９】  このように、木製壁材８は、第１の木製板材２０と第３の木製板材２２の端部が面一になっていないので、壁材８同士が組み合わせられた場合にも、壁材８と図４、５（ａ）（ｂ）、６に示される別の壁材９、１０、１１、１２が組み合わせられた場合にも、前述のように、壁材８と他の壁材９，１０，１１，１２との間に、３枚の板材に囲まれた垂直方向の空間１６が形成され、その空間１６が壁２の様々な場所の内部に形成される。この空間１６に、後述するように、電気配線や給排水管などの設備を入れるパイプ部材１８や壁２の補強用の木材１９を埋め込むことができる。
【００６０】  図２の壁２の中央部では壁材８が多数連続して、垂直方向及び水平方向に組み合わされて配置され、それらの壁材８の間に垂直方向の空間１６と水平方向の空間１７が形成されるが、図１０はその状態を示している。
図１０において、パイプ部材１８として、いわゆる「Ｃ型管」を採用する。「Ｃ型管」は、４面のうち３面が閉じられたコの字状の管である。「Ｃ型管」の場合には、１つの面が開いているので、パイプ部材１８が位置する板材を取り外して、パイプ部材１８やその中の配線等の保守点検を行うのに好適である。「Ｃ型管」に代えて、中空の「丸型管」又は「角型管」でもよい。
図１０のパイプ部材１８は、壁材８によって形成される垂直方向の空間１６と水平方向の空間１７との間で方向転換するには、空間１６と空間１７の交差点に配置した市販のエルボ２３を利用することによって簡単に行うことができる。
【００６１】  前述のように、図２の壁２の中央部において、図３（ａ）に示すように、木製板材２０と木製板材２１が長手方向にずれている木製壁材８を用いた場合には、図２の壁２には千鳥足状の模様が形成される。一方、図１６に示すような木製板材５４と木製板材５５が長手方向にずれていない木製壁材５６を用いた場合には、図１７に示すように、壁２に千鳥足状の模様が形成されない。
また、木製板材５４と木製板材５５の間の幅方向及び長手方向の中央の位置に、木製板材５４と木製板材５５より幅方向及び長手方向にわずかに短い木製板材５７が接合されている。幅方向及び長手方向に短いゆえに、３枚の木製板材５４，５５，５７に囲まれた空間によって水平方向と垂直方向の空間が形成されて、図１７に示すように、これらの空間に電気配線や給排水管などの設備が納められるＣ型管などのパイプ材や壁の補強部材が配置される。
【００６２】  建築物の壁の中央部に用いられる壁材の別の実施態様として、図１８に示す壁材５８がある。
この壁材５８は、図３（ａ）に示す壁材８と比べて、３枚の木製板材５９，６０，６１のうち、中間の板材６１が両端共に、板材５９や板材６０より引っ込んだ位置にあることだけが異なる。このように、両端ともに中間の板材６１が両側の板材５９，６０よりも引っ込んでいるので、同種の壁材５８同士を接続した場合に、その接続部分に形成される垂直方向の空間６２が大きくなる。電気配線や給排水管などを納めるパイプ材や補強部材を多めに、集中的に配置したい場合には好適である。
【００６３】  更に、壁の中央部に用いられる壁材の別の実施態様として、図２０に示す壁材６３がある。
この壁材６３は、３枚の木製板材６４，６５，６６のうち、中間の板材６６が両端において、両側の板材６４，６５の中間の位置にある点が、図３（ａ）や図１８に示す実施態様の壁材と異なる。
この壁材６３は、図２１に示すように、図１８に示す壁材５８と接続すると、接続部に形成される垂直方向の空間６６の大きさを、図１９に示す場合に比べて適切な大きさにすることができる。
【００６４】  更に、壁の中央部に用いられる壁材の別の実施態様として、図２２に示す壁材６７がある。
この壁材６７は、３枚の板材６８，６９，７０のうち、両側の板材６８，６９の長さが異なり、中間の板材７０の両端が両側の板材６８，６９の中間の位置にある点が他の実施態様の壁材と異なる。
この壁材６７は、図２３に示すように、同種の壁材６７同士を裏表反対にして接続することによって、両方の壁材６７の間に垂直方向の空間７１を形成することができる。
【００６５】  更に、壁の中央部に用いられる壁材の別の実施態様として、図２４に示す壁材７２がある。
この壁材７２は、３枚の板材７３，７４，７５のうち、両側の板材７３，７４の長さが略同一で、長手方向にずれておらず、中間の板材７５はわずかに短く、一端が両側の板材７３，７４より突出している点が、他の実施態様の壁材と異なる。
この壁材７２は、図２５に示すように、同種の壁材７２同士を接続することによって、両方の壁材７２の間に垂直方向の空間７６を形成することができる。
【００６６】  図４は、主として、図２に示す壁２の両端部の角部７に使用するのに好適な木製壁材９の詳細を示す斜視図である。木製壁材９の長方形の木製板材２４、２５、２６は、壁２の中央部に使用される壁材８の板材２０、２１、２２よりも比較的短く、その断面形状は、図３（ｂ）に示す木製壁材８の断面形状と同一である。木製板材２４、２５、２６の長さは、それぞれ、４１７．５ｍｍ、５２２．５ｍｍ、５０２．５ｍｍである。壁材９の一端は、各木製板材２４、２５、２６の端面が面一であるので、壁材９が特定の面に隙間なく接したい場合には好適である。従って、木製壁材９は、別の種類の木製壁材１０（図５を参照）と組み立てられて、直角に交差する壁の角部７を形成することができる。
【００６７】  なお、図４の木製板材２４の一端側には、２か所の切欠き部２７が設けられている。この切欠き部２７は、後述する図１１に示すように、直交する２つの木製壁材９と壁材１０に形成された水平方向の空間１７が連通するために必要な構造である。
木製板材２６の端部には、壁の角部に垂直に挿入されるボルト３５のボルト用穴２８（図示せず）が有る。
【００６８】  図５（ａ）は、図２の壁２の角部７に好適な別の木製壁材１０の詳細を示す斜視図である。
木製壁材１０は、３枚の長方形状の木製板材２９、３０、３１が接合されており、壁の中央部に使用される壁材８よりも比較的短く、その断面形状は木製壁材８、９の断面形状と同じである。木製板材２９と木製板材３０は、同じ形状と寸法であり、長さが４５５ｍｍ、幅が１０５ｍｍ、厚さは３７．５ｍｍである。一方、中間に挟まれて接着されている木製板材３１は、長さが４３５．０ｍｍ、幅が６５．０ｍｍ、厚さが３０．０ｍｍであり、その一端が両側の木製板材２９と板材３０の一端の中間の位置にあり、他端は木製板材２９の一端と面一に接合されている。
図５（ａ）の木製壁材１０は、図２に示されるように、その一端は木製壁材８と組み立てられ、他端は前述の図６の木製壁材１１と組み立てられることによって、壁２の角部７を構成している。
【００６９】  図５（ｂ）は、角部７に好適な更に別の木製壁材１２を示す斜視図である。図５（ｂ）の壁材１２が図５（ａ）に示す壁材１０と異なる点は、３枚の板材３２、３３、３４のうち中間の板材３４が短く、両側の板材３２、３３よりも引っ込んだ位置に存在することだけである。この壁材１２は、後述する図８に示すコの字状壁材１５と組み合わせることによって、壁２の角部７に近い位置に出入口などがあるために、角部７近くで壁材の端部を面一にしなければならない場合に好適な壁材である。
【００７０】  図４の木製壁材９と図５（ａ）の木製壁材１０を組み立てるやり方は、図１１の斜視図に示されている。
図１１において、木製壁材１０の一端側に木製壁材９の一端側が直交するように接合される。木製壁材１０の上部に形成される水平方向の空間１７は、木製壁材９の切欠き部２７を通じて木製壁材９の上部に形成される空間１７に連通される。それらの空間１７は、木製壁材９、１０の他端側に形成される垂直方向の空間１６に連通される。
【００７１】  図１１に示す壁の角部に位置する木製壁材９と木製壁材１０の接合部近くには、壁２の角部７の強度を補強するために直径１２ｍｍの金属ボルト３５が貫通するために内径１３ｍｍのボルト用穴（図示せず）が開けられている。このボルト用穴は、壁２の角部７に位置する全ての木製壁材の同一の場所に設けられている。
【００７２】  直交する壁２の角部７は、図１１に示すような木製壁材９と木製壁材１０の組合せ以外に、木製壁材１０と図６の木製壁材１１でも良い。この場合には、木製壁材１１の木製壁材１０と反対側の端部は３枚の木製板材３６、３７、３８のうち、中間の板材３８が両側の板材３６、３７より引っ込んだ位置にあるので、この端部に配置する壁材又はコの字状部材１５を選択する必要がある。
【００７３】  図６は、図４に示す壁材９及び図５に示す壁材１０と同様に、壁２の角部に好適な木製壁材１１を示す斜視図である。前述のように、壁材１１は、３枚の長方形状の木製板材３６、３７、３８から構成され、壁材１１の一端において、３枚の板材３６、３７、３８は面一であり、中間の板材３８が両側の板材３６、３７より後退した位置にある。
木製板材３８にはボルト用穴３９がある。木製板材３６の一端には切欠き部４０がある。
【００７４】  図７は、図４に示す壁材９又は図５（ａ）（ｂ）に示す壁材１０、１２と組み合わせることによって、壁材９、１０、１２の一端を面一にするためのコの字状壁材１４を示している。このコの字状壁材１４は、図１又は図２に示す建築物の出入口４や窓５と接する位置の壁２の端部１３を形成するのに好都合である。
コの字状壁材１４は、図７に示すように、コの字部４１と、コの字部４１の側面に組み合わせられた木製板材４２とからなる。
コの字状壁材１４の木製板材４２の厚さは、図４に示す壁材９の木製板材２４と２５の間の中間板材２６の厚さと略同一である。コの字部４１が壁材９の中間板材２６を挟んで両者が組み合わせられる。そして、その際には、木製板材４２は、壁材９の両側の板材２４、２５のうちの一方の板材２４の端部に接する程度の水平方向の長さを有する。
【００７５】  図８は、図７に示すコの字状壁材１４と類似するコの字状壁材１５を示し、コの字部４３の側面の板材４４の他に、コの字部４３の内側が板材４５で埋められている。
図８のコの字状壁材１５は、図６に示す壁材１１と組み合されて、窓や出入口に接する壁の端部のように、壁の端部が面一である場合に好適である。
【００７６】  なお、図７のコの字状壁材１４及び図８のコの字状壁材１５において、コの字部４１及び４３が其々、板材４２、４４の側面に別体として接合されている例を示しているが、これらが別体で形成されて接合される必要は無く、最終的に板材４２、４４から垂直方向の空間１７に収まる２本の長く伸びた板が存在すればいいのであって、コの字状である必要は無い。一体で構成されていても良いし、他のいかなる構成でも良い。
【００７７】  図９（ａ）は、図３（ａ）に示す壁材８に、図４に示す他の壁材９を組み合わせる場合の組み合わせ方を説明するための斜視図である。図９（ａ）に示すように、壁材８と壁材９は、それぞれの端部の凹凸が適切に嵌め合せるように矢印方向へ移動させて組み合わせる。その結果、壁材９の端部が面一であるゆえに、壁材８と壁材９を組み合わせてできた２つの壁材全体の一端面が面一になり、建築物１の窓５や出入口４に接する部分として好適な構造になる。
このような２つの壁材の組合せ方は、図９（ａ）の場合に限らず、壁材９に代えて、図５（ａ）に示す壁材１０を壁材８と組み合わせる場合も同様である。
【００７８】  図９（ａ）において、２つの壁材８、９の両側の板材２０、２１、２４、２５と中間の板材２２、２６の間に垂直方向の空間１６が形成される。更に、壁材８の両側の板材２０、２１と、中間の板材２２と、垂直方向に隣接する他の壁材８の３枚の板材２０、２１、２２との間に、水平方向の空間１７が形成される。
これらの空間１６及び１７には、前述のように、配線や給水管などを収納するパイプ材１８や壁２を補強する木材などの補強部材１９を設置することができる。
【００７９】  図９（ｂ）及び図９（ｃ）は、図４に示す壁材９及び図５（ａ）に示す壁材１０に、図７に示すコの字状壁材１４を組み合わせる場合の組み合わせ方を説明するための斜視図である。前述の図９（ａ）の場合と同様に、壁材９及び壁材１０に対してコの字状壁材１４を矢印方向へ移動させて組み合わせる。なお、壁材９、１０と壁材１４を組み合わせた際には、壁材９、１０と壁材１４の間には空間はできず、両者が密着した状態になる。
【００８０】  図９（ｄ）は、図６に示す壁材１１とコの字状壁材１５と組み合わせる場合の組み合わせ方を説明するための斜視図である。
更に、図示しないが、図５（ｂ）に示す壁材１２とコの字状壁材１５を組み合わせることもできる。図９（ｄ）の場合と同様に、壁２の角部７に近い場所で使用するのに好適である。
【００８１】  図１２は、本発明の木製壁材の別の実施態様を示す斜視図である。図１２の木製壁材４６は、３層構造の長方形状の木製板材４７、４８、４９からなり、両側の木製板材４７、４８が、横方向のみではなく、縦方向にもずれている。縦方向にずれていることは、実際に複数の壁材４６を垂直方向に積み上げて組み立てた場合に、垂直方向のずれがあることを意味する。
【００８２】  図１３（ａ）は、図１２に示す木製壁材４６を、垂直方向に２個の木製壁材４６ａ、４６ｂとして積み上げて組み立てた状態を示す斜視図である。
図１３（ｂ）は、図１３（ａ）の２つの壁材４６ａ、４６ｂのＹ―Ｙ断面図である。２個の木製壁材４６ａと木製壁材４６ｂに囲まれた水平方向の空間１７は、他の水平方向の空間１７や他の図に示される垂直方向の空間１６に連通する。
【００８３】  なお、この実施態様の壁材４６のように、木製板材４７、４８が長手方向だけでなく幅方向にもずれていることによって、積み上げて組み立てた際に、温度や湿度などの環境変化や経年変化に伴って、垂直方向に隣接する２個の壁材４６ａ、４６ｂの２枚の木製板材４８ａ、４８ｂの間に小さい隙間が生じたとしても、木製板材４７ｂが存在するので、２個の壁材４６ａ、４６ｂ全体としては隙間が貫通することが無くて、建築物の壁としては好都合である。
【００８４】  更に、この別の実施態様の壁材４６によれば、組み立てた際に垂直方向にもずれているので、例えば、図１４に示すように、木製板材４８ａを矢印の方向に取り外すことによって、２個の壁材４６ａ、４６ｂの間に形成されている水平方向の空間１７を容易に外部から見ることができる。その結果、この空間１７に設置しているパイプ部材１８や補強部材１９の状況を観察したり、パイプ部材１８の中に配置した電気配線や給排水管などを保守管理することが容易に可能になる。
【００８５】  図１５は、更に別の実施態様の壁材５０を示す図である。図３（ａ）に示す壁材８に比べて、長方形状の第１の木製板材５１が第２の板材５２及び第３の板材５３に対してわずかに回転して所定の角度を有する状態になっている。このように回転しても、第１、第２、第３の板材５１、５２、５３に囲まれた空間１７や隣接する壁材との間に空間１６は形成されるので、この空間１６、１７内に配線などの設備や補強部材を埋め込むことができる。
【００８６】  なお、第２の板材５２は、所定角度をもって第１及び第３の板材５１、５３と接しているので、垂直方向の全ての空間１６が連通して、しかも、隣接する壁材を隙間なく壁を形成することが大切であり、そのためには、図示されるように、平行四辺形であることが望ましい。水平方向の空間１７は、第２の板材５２の傾斜角度に関係なく形成される。
【００８７】  また、第２の板材５２は、回転するのみでなく、図１２に示す実施態様のように、第１の板材５１に対して、幅方向及び長手方向にもずれていても良い。
【００８８】  これらのように、第２の板材５２が第１、２の板材５１、５３に対して回転している場合には、上述の実施態様が有する効果の他に、組み立てて壁２を形成した場合に、壁２の壁材間にできる隙間による模様が、図１及び図２に示すような垂直方向と水平方向の模様以外に、斜め方向の模様も形成されることになる。これが美観を高めることになる。
図１５の実施態様では、壁材５０としての長さが、同一となるため、板材５２は板材５１より長さが長い。
【００８９】  壁の中央部に用いられる壁材として、更に、本発明の別の実施態様による壁材７７を図２６に示す。
壁材７７は、木製板材７８と木製板材７９の間に木製板材８０が接合されて構成される。板材７８と板材７９は、長さと幅が略同一であり、平行に配置されている。板材８０は、板材７８，７９より短くて幅が狭く、板材７８、７９に対してわずかに回転していて傾斜した位置関係にある。板材８０は長方形であり、板材７８、７９は傾斜角だけ直角からずれた平行四辺形状である。
【００９０】  図２７は、図２６に示す壁材７７同士を４個接続した場合を示している。
壁材７７ａ、７７ｂ、７７ｃ、７７ｄを、図２７に示すように接続すると、壁材７７の板材７８、７９の傾斜によって、壁に山と谷の傾斜模様が形成されるので、壁の美観が高まる。各板材７８、７９、８０に囲まれた垂直方向の空間８２と水平方向の空間８３が形成され、それらの空間８２、８３は相互に連通する。
なお、図２７は、壁材７７が水平方向にのみ接続されているが、実際に壁を形成する場合には垂直方向にも接続される。それゆえに、板材７８、７９、８０は、垂直方向に接続された壁材７７の各板材７８、７９、８０との間に小さい隙間ができて、その隙間が垂直方向の空間８２や水平方向の空間８３になる。
【００９１】  ここで、本発明の特徴を整理する。
（１）まず、本発明の対象は、木造建築物の壁に使用される壁材であり、壁材は少なくとも３層構造に接合された３枚の木製板材で１つの壁材が形成されている。３層構造の中間に位置する板材の幅は両側の板材の幅よりも狭い。
そして、更なる複数の技術的要素によって実現される本発明の特徴の１つは、「壁材の長手方向及び幅方向の両端部に、３枚の板材で囲まれた垂直方向と水平方向の空間が形成される構造である」ことにある。この空間に、建築物に必要な電気配線や給排水管などの設備を納めるパイプ材や壁の強度を補強する補強部材を配置することができる。これが本発明の本質である。
【００９２】（２）更に、前述の発明の特徴の１つを実現する壁材の構造として、３枚の木製板材の位置関係や長さ関係などの複数の技術的要素の組合せによって、多くの種類の壁材の構造が存在する。以下に、それらの技術的要素について説明する。
【００９３】▲１▼まず、「３枚の板材が幅方向にずれるかどうかの位置関係」の技術的要素によって分類する。
（Ａ）３枚のうちの中間の板材が、両側の２枚の板材のいずれとも幅方向の中央部で接合されていない場合の壁材を選択できる。
これに該当する代表的な壁材として、図２６に示す実施態様の壁材がある。
（Ｂ）３枚のうちの中間の板材が、両側の２枚のうちの１枚の板材のみと幅方向の中央部で接合されている場合の壁材を選択できる。
これに該当する代表的な壁材として、図１２、１５に示す各実施態様の壁材がある。
そのうち、
（Ｂａ）両側の２枚の板材が幅方向及び長手方向にずれている場合の代表的な壁材は図１２に示す実施態様の壁材であり、
（Ｂｂ）両側の２枚の板材が相互に傾斜している場合の代表的な壁材は図１５に示す実施態様の壁材である。
（Ｃ）３枚のうちの中間の板材が、両側の２枚の板材と幅方向の中央部で接合されている場合の壁材を選択できる。
これに該当する代表的な壁材として、図３、４、５（ａ）、５（ｂ）、６、１６、１８、２０、２２、２４に示す各実施態様の壁材がある。
【００９４】▲２▼次に、上記（Ｃ）の実施態様を、「両側の板材が長手方向にずれるかどうかの位置関係」の技術的要素によって更に分類する。
【００９５】  （Ｃａ）両側の２枚の板材が、両端ともにずれない場合の壁材を選択できる。これは、両側の板材の長手方向の長さが略同一であることを意味する。
これに該当する代表的な壁材として、図１６、２４に示す各実施態様の壁材がある。なお、壁材の両端において中間の板材の端部が両側の２枚の板材の端部より突出する場合は、発明の効果の点から選択しない。
そのうち、
（Ｃａａ）壁材の一端において、中間の板材の端部が両側の２枚の板材の端部より引っ込んだ位置にあり、壁材の他端において、中間の板材が両側の２枚の板材より突出する場合の代表的な壁材は図２４に示す実施態様の壁材であり、
（Ｃａｂ）壁材の両端において、中間の板材の端部が両側の２枚の板材の端部より引っ込んだ位置にある場合の代表的な壁材は図１６に示す実施態様の壁材である。
【００９６】  （Ｃｂ）両側の２枚の板材が、壁材の一端のみでずれる場合の壁材を選択できる。これは、両側の板材の長手方向の長さが異なることを意味する。
これに該当する代表的な壁材として、図４、６に示す各実施態様の壁材がある。なお、図４、６の壁材は、いずれも他端における３枚の板材は面一であり、これ以外の場合の壁材は発明の効果の点から選択しない。
図４、６のうち、
（Ｃｂａ）上記一端において、中間の板材の端部が、両側の２枚の板材の端部の中間に位置する場合の壁材は図４に示す実施態様の壁材である。
（Ｃｂｂ）上記一端において、中間の板材の端部が、両側の２枚の板材の端部より引っ込んだ位置にある場合の壁材は図６に示す実施態様の壁材である。
【００９７】  （Ｃｃ）両側の２枚の板材が、両端においてずれる場合の壁材を選択できる。これは、両側の板材の長手方向の長さが異なる場合も略同一の場合も含むことを意味する。
これに該当する代表的な壁材として、図３、５（ａ）、５（ｂ）、１８、２０、２２に示す各実施態様の壁材がある。
それらは、更に、以下のように分類される。
（Ｃｃａ）壁材の一端において、中間の板材の端部が両側の２枚の板材の端部の中間に位置し、壁材の他端において、中間の板材の端部が両側の２枚の板材の端部より引っ込んだ位置にある場合の壁材がある。
これに該当する代表的な壁材として、図３に示す実施態様の壁材がある。
（Ｃｃｂ）壁材の両端において、中間の板材の端部が両側の２枚の板材の端部の中間に位置にある場合の壁材がある。
これに該当する代表的な壁材として、図２０に示す実施態様の壁材がある。
（Ｃｃｃ）壁材の一端において、中間の板材の端部が両側の２枚の板材の端部の中間に位置し、壁材の他端において、中間の板材の端部が両側の２枚の板材のうちの１枚のみの端部と面一となる位置にあり、両側の板材のうちの他の１枚はその面一の他端よりも突出している場合の壁材がある。
これに該当する代表的な壁材として、図５（ａ）に示す実施態様の壁材がある。
（Ｃｃｄ）壁材の３枚の板材の長手方向の長さが異なり、中間の板材の長さは両側の２枚の板材の中間の長さであり、壁材の両端において、中間の板材の端部が両側の２枚の板材の端部の中間に位置する場合の壁材がある。
これに該当する代表的な壁材として、図２２に示す実施態様の壁材がある。
（Ｃｃｅ）壁材の両端において、中間の板材の端部が両側の２枚の板材の端部より引っ込んだ位置にある場合の壁材がある。
これに該当する代表的な壁材として、図１８に示す実施態様の壁材がある。
（Ｃｃｆ）壁材の一端において、中間の板材の端部が両側の２枚の板材の端部より引っ込んだ位置にあり、壁材の他端において、中間の板材の端部と両側の２枚の板材のうちの１枚の端部とが面一の関係にある場合の壁材がある。
これに該当する代表的な壁材として、図５（ｂ）に示す実施態様の壁材がある。
【００９８】  以上の各実施態様において、各壁材の３枚の木製板材は長方形に限らない。壁全体として平面を形成できれば良いので、各壁材の木製板材は、平行四辺形を含み、四角形であれば差支えない。
【００９９】  本発明によれば、壁材を少なくとも３枚の四角形の木製板材の少なくとも３層構造とし、その板材の形状や位置関係などを工夫することによって、壁材を組み合わせた際に、隣接する壁材の間に、壁の垂直方向や水平方向の空間が形成され、その空間の中に、配線や給排水管などの設備を配置し、壁の強度補強部材を配置することができる壁材を提供することができる。
【０１００】  更に、本発明によれば、本発明による壁材を組み合わせて形成した壁を有することによって、壁の中に形成した空間の中に配線や給水管などの設備や強度補強部材を配置した木造建築物を提供することができる。
【０１０１】  特に、本発明によれば、建築物１の壁２の中央部においては、本発明による少なくとも３枚の木製板材の少なくとも３層構造の基本構造の壁材の一つである、比較的長い壁材８を適宜、組み合わせることによって、配線や給排水管などの設備を内部に配置できるパイプ材や木材などの補強部材を埋め込むための水平方向及び垂直方向の空間を壁材の間に形成することができる。
【０１０２】  本発明によれば、建築物の壁の角部においても、本発明による少なくとも３枚の木製板材の少なくとも３層構造の複数種類の基本的構造の壁材のうち、少なくとも３層構造の内容によって異なる種類の壁材を適宜、組み合わせることによって、配線や給排水管などの設備を内部に配置できるパイプ材や木材などの補強部材を埋め込むための水平方向及び垂直方向の空間を壁材の間に形成することができる。
【０１０３】  水平方向と垂直方向の空間は建築物の壁の全体又は一部に形成することができるので、壁の全体又は一部の水平方向にも垂直方向にも配線や給排水管などの設備を必要に応じて配置することができるとともに、設備の配置に使用しない空間に壁の補強部材を入れて使用できる。
【０１０４】  しかも、そのような設備や補強部材を、壁の内部に格納することができるので、美観に優れている木造建築物を提供できる。
【０１０５】  本発明の実施態様では、壁材として、基本的には木材を使用しているが、一部に他の材質の壁材を使用することは何らの問題は無く、本発明の効果が得られることには変わりない。他の材質としては、例えば、強度や重量を考慮して金属や樹脂であってもよい。
【０１０６】  また、本発明の実施態様において、壁材は３層構造を示しているが、適宜、４層以上でも良いことは言うまでもない。
【０１０７】  本発明の木造建築物においては、壁の中央部においては、図３（ａ）、１２、１５、１６、１８、２０、２２、２４に代表的に示される壁材を垂直方向及び水平方向に隣接して配置し、壁の角部においては、ほぼ直角に交差するために、図４、図５（ａ）（ｂ）、図６などに代表的に示される壁材を配置し、窓や出入口等のように端面が面一になるべき場合には、各壁材に図７、図８に代表的に示される壁材を採用することによって、本発明の目的を達成することができる。
【符号の説明】
【０１０８】１‥‥木造建築物
２‥‥壁
３‥‥屋根
４‥‥出入口
５‥‥窓
６‥‥壁材
７‥‥壁の角部
８、９、１０、１１、１２、４６、５０、５６、５８、６３、６７、７２、７７‥‥壁材
１３‥‥壁の端部
１４、１５‥‥コの字状壁材
１６、１７、６２、７１、７６、８２、８３、８４‥‥空間
１８‥‥パイプ部材
１９‥‥補強部材
２０、２４、２９、３２、３６、４７、５１、５４、５９、６４、６８、７３、７８‥‥第１の木製板材
２１、２５、３０、３３、３７、４８、５２、５５、６０、６５、６９、７４、７９‥‥第２の木製板材
２２、２６、３１、３４、３８、４９、５３、５７、６１、６６、７０、７５、８０‥‥第３の木製板材
２３‥‥エルボ
４１、４３‥‥コの字部
４２、４４、４５‥‥板材
２７、４０‥‥‥切欠き部
３５‥‥‥ボルト
２８、３９‥‥‥ボルト用穴
【図１】
2020176501.tif 000003
【図２】
2020176501.tif 000004
【図３（ａ）】
2020176501.tif 000005
【図３（ｂ）】
2020176501.tif 000006
【図４】
2020176501.tif 000007
【図５（ａ）】
2020176501.tif 000008
【図５（ｂ）】
2020176501.tif 000009
【図６】
2020176501.tif 000010
【図７】
2020176501.tif 000011
【図８】
2020176501.tif 000012
【図９（ａ）】
2020176501.tif 000013
【図９（ｂ）】
2020176501.tif 000014
【図９（ｃ）】
2020176501.tif 000015
【図９（ｄ）】
2020176501.tif 000016
【図１０】
2020176501.tif 000017
【図１１】
2020176501.tif 000018
【図１２】
2020176501.tif 000019
【図１３（ａ）】
2020176501.tif 000020
【図１３（ｂ）】
2020176501.tif 000021
【図１４】
2020176501.tif 000022
【図１５】
2020176501.tif 000023
【図１６】
2020176501.tif 000024
【図１７】
2020176501.tif 000025
【図１８】
2020176501.tif 000026
【図１９】
2020176501.tif 000027
【図２０】
2020176501.tif 000028
【図２１】
2020176501.tif 000029
【図２２】
2020176501.tif 000030
【図２３】
2020176501.tif 000031
【図２４】
2020176501.tif 000032
【図２５】
2020176501.tif 000033
【図２６】
2020176501.tif 000034
【図２７】
2020176501.tif 000035
【手続補正書】
【提出日】令和2年6月30日(2020.6.30)
【手続補正１】
【補正対象書類名】特許請求の範囲
【補正対象項目名】請求項１
【補正方法】変更
【補正の内容】
【請求項１】
幅が略同一で長さは略同一又は異なる第１及び第２の２枚の四角形状の木製板材と、
前記第１及び第２の四角形状の木製板材より幅が狭く長さが前記第１又は第２の木製板材のうちの少なくとも一方の木製板材より短い第３の四角形状の木製板材からなり、
前記第３の木製板材は、前記第１及び第２の四角形状の木製板材の間で幅方向には中央部に位置し、長手方向には前記第１と第２の四角形状の木製板材の少なくとも一方の端部からずれた位置になるように、前記第１、第２及び第３の木製板材の各板面が接合されている
ことを特徴とする少なくとも３枚の四角形状の木製板材からなる木造建築物用の木製壁材。